(57)【要約】【課題】配線の変形性を向上させることが可能なレンズ鏡筒およびこれを備えた撮像装置を提供する。【解決手段】筒体と、前記筒体内の光学素子と、前記筒体内に挿通され、少なくとも一部が前記光学素子の光軸方向に伸縮可能な三次元曲線形状を有する配線とを備えたレンズ鏡筒。【選択図】図７
2014235277.tif 000002
【特許請求の範囲】
【請求項１】
筒体と、
前記筒体内の光学素子と、
前記筒体内に挿通され、少なくとも一部が前記光学素子の光軸方向に伸縮可能な三次元曲線形状を有する配線と
を備えたレンズ鏡筒。
【請求項２】
前記配線は、可動部を含み、
前記可動部は、前記筒体の内側面に沿って配置され、前記光学素子を通過する光線束の光路を回避して変形可能である
請求項１記載のレンズ鏡筒。
【請求項３】
前記可動部は、前記光学素子の光軸を中心に螺旋状に配置されている
請求項２記載のレンズ鏡筒。
【請求項４】
前記可動部は、一枚のフレキシブル配線基板の面内において、前記光学素子の光軸を一周未満周回する円弧状、または、前記光学素子の光軸を一周以上周回する環状もしくは渦巻形状をなしている
請求項２記載のレンズ鏡筒。
【請求項５】
前記配線は、前記可動部の一端に、電子部品実装部を更に含み、
前記電子部品実装部には、前記配線を介して電力供給を受ける電子部品が実装されている
請求項２記載のレンズ鏡筒。
【請求項６】
前記渦巻形状は、前記電子部品実装部に近づくにつれて径が小さくなる
請求項５記載のレンズ鏡筒。
【請求項７】
前記電子部品実装部は、前記可動部と一体に接続されている
請求項５記載のレンズ鏡筒。
【請求項８】
前記電子部品実装部は、コネクタを介して、前記可動部に対して着脱可能である
請求項５記載のレンズ鏡筒。
【請求項９】
前記電子部品は、照明素子であり、
前記照明素子は、前記光学素子の周囲に配置されている
請求項５記載のレンズ鏡筒。
【請求項１０】
前記照明素子からの光が出射される側に、拡散素子を更に備えた
請求項９記載のレンズ鏡筒。
【請求項１１】
前記配線は、前記可動部の他端に、固定部を更に含み、
前記固定部は、前記筒体に固定されている
請求項１記載のレンズ鏡筒。
【請求項１２】
前記配線は、ケーブルにより構成されている
請求項２記載のレンズ鏡筒。
【請求項１３】
前記筒体は伸縮動作可能である
請求項１記載のレンズ共闘。
【請求項１４】
前記光学素子は、光軸方向に移動可能であり、
前記配線は、前記光学素子の移動経路を回避して変形可能である
請求項１記載のレンズ鏡筒。
【請求項１５】
レンズ鏡筒を有し、
前記レンズ鏡筒は、
筒体と、
前記筒体内の光学素子と、
前記筒体内に挿通され、少なくとも一部が前記光学素子の光軸方向に伸縮可能な三次元曲線形状を有する配線と
を備えた撮像装置。
【請求項１６】
本体を更に備え、
前記レンズ鏡筒は、前記筒体が前記本体に埋め込まれる収納位置と、前記筒体が前記本体から進出する撮影位置との間で伸縮動作可能な沈胴式である
請求項１５記載の撮像装置。
【請求項１７】
本体を更に備え、
前記レンズ鏡筒は、前記本体に対して着脱可能に装着される交換式である
請求項１５記載の撮像装置。
【発明の詳細な説明】
【技術分野】
【０００１】
本開示は、沈胴式または交換式のレンズ鏡筒およびこのレンズ鏡筒を備えた撮像装置に関する。
【背景技術】
【０００２】
マクロ撮影（近接撮影）の際に被写体を明るく照らすため、最も被写体の近くに配設されるレンズの周囲に、ＬＥＤ（Light Emitting Diode）などの照明素子（マクロライト）が設けられる場合がある。マクロライトへの電力供給は、フレキシブルフラットケーブルまたはフレキシブル配線基板などを用いた折り畳み式の配線を介して行われている（例えば、特許文献１および特許文献２参照。）。
【先行技術文献】
【特許文献】
【０００３】
【特許文献１】特開２００３−２３３１０９号公報
【特許文献２】特開２００５−３０１２１７号公報
【発明の概要】
【発明が解決しようとする課題】
【０００４】
このような折り畳み式の配線は、屈曲式光学系をもつ撮像装置では折り畳み状態のままで用いることが可能である。一方、沈胴式などの伸縮動作可能なレンズ鏡筒をもつ撮像装置では、レンズ鏡筒の伸縮動作につれて、配線が折り畳まれた状態からある程度変形することが予想される。しかしながら、そのようなレンズ鏡筒の伸縮動作に伴う配線の変形を考慮した電力供給の構成は、これまで提案されていなかった。
【０００５】
本開示はかかる問題点に鑑みてなされたもので、その目的は、配線の変形性を向上させることが可能なレンズ鏡筒およびこれを備えた撮像装置を提供することにある。
【課題を解決するための手段】
【０００６】
本開示によるレンズ鏡筒は、筒体と、筒体内の光学素子と、筒体内に挿通され、少なくとも一部が光学素子の光軸方向に伸縮可能な三次元曲線形状を有する配線とを備えたものである。
【０００７】
本開示のレンズ鏡筒では、配線の少なくとも一部が光学素子の光軸方向に伸縮可能な三次元曲線形状を有している。よって、配線は、光学素子の光軸方向に伸縮したのち原形に復帰し、再び光学素子の光軸方向に伸縮するというように変形可能となる。
【０００８】
本開示による撮像装置は、レンズ鏡筒を有し、レンズ鏡筒は、上記本開示のレンズ鏡筒により構成されているものである。
【０００９】
本開示の撮像装置では、レンズ鏡筒の筒体内に設けられた光学素子により、被写体像が結像される。
【発明の効果】
【００１０】
本開示のレンズ鏡筒、または本開示の撮像装置によれば、配線の少なくとも一部を光学素子の光軸方向に伸縮可能な三次元曲線形状としたので、配線の変形性を向上させることが可能となる。とりわけ、沈胴式などの伸縮動作可能なレンズ鏡筒への適用に好適であり、レンズ鏡筒の伸縮動作に良好に追随して配線を変形させることが可能となる。
【図面の簡単な説明】
【００１１】
【図１】本開示の第１の実施の形態に係る撮像装置を前方から見た外観を表す斜視図である。
【図２】図１に示したレンズ鏡筒を前方に進出させた状態を表す斜視図である。
【図３】図１に示した撮像装置を後方から見た外観を表す斜視図である。
【図４】図１に示した撮像装置の制御系を表すブロック図である。
【図５】図２に示した使用位置のレンズ鏡筒を本体から分離して表す外観斜視図である。
【図６】図２に示したレンズ鏡筒を前方から見た正面図である。
【図７】図５に示した筒体の一部を切り欠いて、レンズ鏡筒の内部構成を表す斜視図である。
【図８】図７に示した可動部の構成を表す平面図である。
【図９】図１に示した収納位置のレンズ鏡筒を本体から分離して表す外観斜視図である。
【図１０】図９に示した筒体の一部を切り欠いて、レンズ鏡筒の内部構成を表す斜視図である。
【図１１】図１０に示した筒体の一部を更に切り欠いて、レンズ鏡筒の内部構成を表す斜視図である。
【図１２】変形例１に係る可動部の構成を表す平面図である。
【図１３】図１２に示した可動部の、使用位置における状態を表す斜視図である。
【図１４】図１２に示した可動部の、収納位置における状態を表す斜視図である。
【図１５】変形例２に係る可動部の構成を表す平面図である。
【図１６】第２の実施の形態に係るレンズ鏡筒の構成を表す斜視図である。
【図１７】第３の実施の形態に係るレンズ鏡筒の外観を表す斜視図である。
【図１８】図１７に示したレンズ鏡筒の一部を分解して表す斜視図である。
【図１９】第４の実施の形態に係るレンズ鏡筒の外観を表す斜視図である。
【図２０】図１９に示したレンズ鏡筒の内部構成を表す斜視図である。
【発明を実施するための形態】
【００１２】
以下、本開示の実施の形態について図面を参照して詳細に説明する。なお、説明は以下の順序で行う。
１．第１の実施の形態（フレキシブル配線板が、螺旋形状の可動部を有する例。）
２．変形例１（可動部の平面形状を、光軸の周りに一周以上周回する渦巻形状とする例）
３．変形例２（可動部の平面形状を、光軸の周りに一周未満周回する円弧形状とする例）
３．第２の実施の形態（フレキシブル配線板の電子部品実装部を、可動部に対して着脱可能とする例）
４．第３の実施の形態（照明素子の前方に拡散素子を設けた例）
５．第４の実施の形態（交換式のレンズ鏡筒の例）
【００１３】
（第１の実施の形態）
図１は、本開示の第１の実施の形態に係る撮像装置（デジタルスチルカメラ）を前方から見た外観を表したものである。この撮像装置１は、例えば、本体１０の被写体側の面（前面）に、沈胴機構を有するレンズ鏡筒２０が取り付けられたものである。レンズ鏡筒２０の近傍には、撮影補助光を発生するフラッシュ１１およびセルフタイマーランプ１２が配置されている。
【００１４】
レンズ鏡筒２０は、筒体３０内に、撮影レンズ等の光学素子４０および撮像素子５０（図１には図示せず、図４参照。）を有している。このレンズ鏡筒２０は、図２に示したように筒体３０が本体１０から進出した撮影位置３０Ａ（広角状態、望遠状態、およびその中間状態）と、図１に示したように筒体３０が本体１０に埋め込まれる収納位置（沈胴位置）３０Ｂとの間で伸縮動作可能な沈胴式である。
【００１５】
ここで、本明細書において前方とは、光学素子４０の光軸Ｚ方向において物体側または被写体側とし、後方とは像側または撮像素子５０側とする。本体１０の長辺方向をカメラ横方向Ｘ、本体１０の短辺方向をカメラ縦方向Ｙとする。
【００１６】
筒体３０は、本体１０の前面の中央より少し偏倚した位置に設けられ、化粧リング１３内に嵌め込まれている。筒体３０は、図２に示した撮影位置３０Ａと、図１に示した収納位置（沈胴位置）３０Ｂとの間で、光軸Ｚに沿って伸縮動作可能である。収納位置３０Ｂでは、筒体３０の前面（先端面）の略全体が、本体１０の前面と同一面または略同一面をなしている。
【００１７】
光学素子４０は、本体１０に内蔵されたレンズ駆動部６５Ａ（図１には図示せず、図４参照。）により、図２に示した撮影位置３０Ａと、図１に示した収納位置（沈胴位置）３０Ｂとの間で、光軸Ｚ方向に移動可能となっている。また、光学素子４０は、筒体３０の伸縮動作に伴って、または、光学ズーム操作ボタン１８Ｂの操作によって、光軸Ｚ方向に変位可能である。
【００１８】
撮像素子５０は、光学素子４０によって結像された被写体像を撮像するものであり、ＣＣＤ（Charge Coupled Device；電荷結合素子）またはＣＭＯＳ（Complementary Metal Oxide Semiconductor）イメージセンサなどにより構成されている。
【００１９】
本体１０の上端面には、撮像を行うためのシャッタボタン１４，電源ボタン１５，マイクロホン等の集音装置の集音穴１６Ａ等が設けられている。本体１０の一方の側面には、スピーカ用の格子穴１６Ｂが設けられている。
【００２０】
図３は、撮像装置１を後方から見た外観を表したものである。本体１０の後面には、表示部１７が設けられている。表示部１７は、例えばＬＣＤ（液晶表示素子）により構成され、メニュー選択等のためのタッチパネル機能を有している。
【００２１】
本体１０の後面の一側には、各種の操作スイッチが配置されている。操作スイッチとしては、例えば、機能モード（静止画、動作、再生等）を選択するモード切替スイッチ１８Ａ、光学素子２２のズームを調整する光学ズーム操作ボタン１８Ｂ、各種メニュー選択のためのメニューボタン１８Ｃ、画面表示を切り替える表示切替ボタン１８Ｄが挙げられる。その他、メニューを選択するカーソル等を移動させる方向キー、画面サイズの切替や画面削除を行うための画面ボタン等を設けることも可能である。なお、表示部１７がタッチパネル機能を有している場合には、メニューボタン１８Ｃは省略可能である。本体１０の他方の側面には、電源であるバッテリーが着脱可能に収納されるバッテリー収納部が設けられている。バッテリー収納部にはバッテリー蓋１９が開閉可能に係合されている。
【００２２】
図４は、撮像装置１の制御系を表したものである。撮像装置１は、例えば、レンズ鏡筒２０，表示部１７，映像記録／再生回路部６１，内蔵メモリ６２，外部メモリ６３，映像信号処理部６４，レンズ鏡筒制御部６５，モニタ駆動部６６，増幅器６７，第１のインターフェース６８，および第２のインターフェース６９を有している。
【００２３】
映像記録／再生回路部６１は、例えばマイクロコンピュータ（ＣＰＵ；Central Processing Unit）を有する演算回路を有し、シャッタボタン１４，光学ズーム操作ボタン１８Ｂ，電源ボタン１５，または表示部１７のタッチパネル等の操作に応じて、映像信号処理部６４，モニタ駆動部６６またはレンズ鏡筒制御部６５を制御するものである。映像記録／再生回路部６１には、内蔵メモリ６２と、映像信号処理部６４と、レンズ鏡筒駆動部６５と、モニタ駆動部６６と、増幅器６７と、第１および第２のインターフェース（Ｉ／Ｆ）６８，６９とが接続されている。
【００２４】
内蔵メモリ６２は、映像記録／再生部６１を駆動するためのプログラムメモリやデータメモリその他のＲＡＭ（Random Access Memory）やＲＯＭ（Read Only Memory）等を有している。外部メモリ６３は、記憶容量を拡大するものである。
【００２５】
映像信号処理部６４は、撮像素子５０から出力された撮像信号に基づいて画像データを生成し、映像記録／再生回路部６１に入力するものである。映像信号処理部６４は、増幅器６７を介して、レンズ鏡筒２０に取り付けられた撮像素子５０に接続されている。
【００２６】
レンズ鏡筒制御部６５は、レンズ鏡筒２０を駆動制御するものである。レンズ鏡筒制御部６５には、レンズ駆動部６５Ａと、位置センサ６５Ｂとが接続されている。レンズ駆動部６５Ａは、レンズ鏡筒２０でのズーミング動作およびフォーカシング動作を行う部分である。位置センサ６５Ｂは、光学素子４０の光軸Ｚ方向における位置を検出し、その結果をレンズ鏡筒制御部６５に供給するものである。
【００２７】
表示部１７は、モニタ駆動部６６を介して映像記録／再生回路部６１に接続されている。モニタ駆動部６６は、画像データを表示部１７に表示させるものである。
【００２８】
第１のインターフェース６８には、コネクタ６８Ａが接続されており、このコネクタ６８Ａに外部メモリ６３が着脱自在に接続可能とされている。第２のインターフェース６９には、本体１０に設けられた接続端子６９Ａが接続されている。
【００２９】
図５は、レンズ鏡筒２０の繰り出し状態の外観を表したものである。筒体３０は、後方から順に、第１部品３１，第２部品３２および第３部品３３を有している。光学素子４０は、例えば図４に示したように、後方から順に、第１レンズ群４１，第２レンズ群４２，および第３レンズ群４３を有している。第１レンズ群４１は、第１部品３１内の第１レンズ枠４１Ａに保持されている。第２レンズ群４２は、第２部品３２内の第２レンズ枠４２Ａに保持されている。第３レンズ４３群は、第３部品３３に保持されている。
【００３０】
第１部品３１は、本体１０に固定された固定環である。第１部品３１の後部（筒体３０の後端面）には、後部冠部材３４が、複数本の固定ねじ（図示せず）により着脱可能に固定されている。後部冠部材３４の中央部には略四角形の貫通穴が設けられており、この貫通穴に撮像素子５０が取り付けられている（図４および図１１参照。）。
【００３１】
第２部品３２は、例えば、外側に回転環（図示せず）、内側に直進案内環（図示せず）を有する二重筒構造を有している。回転環は、第１部品３１に対して光軸Ｚ回りに回転可能であると共に光軸Ｚ方向に直進移動可能である。直進案内環は、第１部品３１に対して回転せずに光軸Ｚ方向に直進移動可能となっている。回転環と直進案内環とは、例えばバヨネット嵌合により、回転環の回転に対して、直進案内環が規制されることなく直進移動可能となっている。また、回転環の光軸Ｚ方向への移動に対しては、直進案内環も一体となって移動可能である。
【００３２】
第２レンズ枠４２Ａは、第２レンズ群４２を保持しつつ移動させるものである。第２レンズ枠４２Ａは、第１部品３１に対して回転せずに光軸Ｚ方向に直進移動可能である。
【００３３】
第３部品３３は、第３レンズ群４３を保持しつつ移動させるレンズ保持・移動枠としての機能を有している。第３部品３３は、第１部品３１に対して回転せずに光軸Ｚ方向に直進移動可能である。また、第３部品３３は、レンズ鏡筒２０の体裁を整える化粧リングとしての機能を有している。第３部品３３の材質としては、アルミニウム合金やステンレス鋼などの各種の金属が好適であるが、エンジニアリングプラスチックを用いることも可能である。
【００３４】
第３部品３３の前方先端には、図６に示したように、前部冠部材３５が設けられている。前部冠部材３５は、レンズ鏡筒２０の前方先端に設けられたバリアユニット（図示せず）を保護するものであり、光学素子４０の周囲に環状に設けられている。バリアユニットは、非撮影時に、撮影開口である光路を閉じて光学素子４０を保護するものである。
【００３５】
また、前部冠部材３５には、照明素子７０が取り付けられている。照明素子７０は、近接撮影（マクロ撮影）の際に被写体を明るく照らすことで良好な撮影を補助する、いわゆるマクロライトである。照明素子７０は、例えばＬＥＤ等の点光源により構成され、光学素子４０の周囲に配置されている。具体的には、照明素子４０は、光学素子４０の周方向に複数個、等間隔に（図６では例えば四個、９０°間隔に）配置されている。
【００３６】
なお、照明素子７０は、前部冠部材３５に限られず、本体１０の前面など、他の場所に配置することも可能である。ただし、照明素子７０を前部冠部材３５に設けることにより、光学素子４０のうち最も被写体側に配置される第３レンズ群４３の周囲に照明素子７０を配置することが可能となる。また、撮影状態で長く伸びたレンズ鏡筒２０が照明素子７０からの光を遮り被写体に影ができるのを回避可能となる。更に、マクロ撮影をするという目的からも、照明素子７０と被写体との距離を極力近づけることが望ましい。
【００３７】
図７は、図５に示した筒体３０の第２部品３２および第３部品３３を縦に切断し、レンズ鏡筒２０の内部構成を表したものである。筒体３０内には、配線８０が挿通されている。配線８０は、本体１０から照明素子７０に電力を供給するものである。この配線８０の少なくとも一部は、光学素子４０の光軸Ｚ方向に伸縮可能な三次元曲線形状を有している。これにより、この撮像装置１では、配線８０の変形性を向上させることが可能となっている。
【００３８】
具体的には、配線８０は、可動部８１を有している。この可動部８１は、筒体３０の内側面に沿って配置され、光学素子４０を通過する光線束（光線の集まり）の光路Ｐ１を回避して変形可能であることが好ましい。配線８０が変形時に光路内Ｐ１にはみ出して光路Ｐ１が妨げられるのを抑えることが可能となるからである。
【００３９】
また、配線８０は、光学素子４０の移動経路Ｐ２を回避して変形可能であることが好ましい。ズーミング動作およびフォーカシング動作時に光学素子４０と配線８０とが干渉し光学素子４０の移動の妨げとなるのを抑えることが可能となるからである。
【００４０】
可動部８１は、光学素子４０の光軸Ｚを中心に螺旋状に配置されていることが好ましい。これにより、筒体３０と光学素子４０との隙間で、可動部８１がコイルばねのように伸縮可能となる。よって、可動部８１の変形にかかる空間を節約しつつ、可動部８１の伸縮距離を確保し、可動部８１の変形によりレンズ鏡筒２０の伸縮動作や光学素子４０の移動を妨げるおそれが小さくなる。ここに「螺旋状」とは、光学素子４０の光軸Ｚの周りに回転すると共に光学素子４０の光軸Ｚ方向に進行する三次元曲線形状をいう。
【００４１】
このような可動部８１は、例えば図８に示したように、一枚のフレキシブル配線基板８０Ａの面内において、光学素子４０の光軸Ｚを一周周回する環状であることが好ましい。これにより、収納位置３０Ｂにおいて配線８０の占める空間を小さくし、撮像装置１の小型化・薄型化への貢献が可能となる。また、一枚のフレキシブル配線基板８０Ａを環状に切り抜くことにより可動部８１を容易に構成可能となる。なお、光軸Ｚは、図８に示したように環状の可動部８１の中心に位置していてもよいし、あるいは図示しないが環状の可動部８１の中心からずれた位置にあってもよい。
【００４２】
配線８０は、また、可動部８１の一端部８１Ａに電子部品実装部８２、可動部８１の他端部８１Ｂに固定部８３を更に有している。
【００４３】
電子部品実装部８２は、可動部８１と一体に接続され、連続した一続きの配線８０をなしている。電子部品実装部８２は、照明素子７０を構成するＬＥＤチップが実装されていると共に、第３部品３３の前部冠部材３５に固定されている。なお、照明素子７０は、第３部品３３の前部冠部材３５に直接固定されていることも可能である。
【００４４】
固定部８３は、筒体３０に固定されている。具体的には、固定部８３は、第１部品３１の配線出口３１Ａから筒体３０の外部に出ている。固定部８３の端部８３Ａは、本体１０との接続部となっており、本体１０内の回路と電気的に接続されている。
【００４５】
なお、図７では、端部８１Ａ，８１Ｂが直線または折れ線の形状を有している場合を表しているが、端部８１Ａ，８１Ｂが可動部８１に連続して螺旋状をなしていることも可能である。
【００４６】
図９は、収納位置（沈胴位置）３０Ｂにおけるレンズ鏡筒２０の外観を表したものである。筒体３０の第２部品３２および第３部品３３は、第１部品３１内に埋め込まれた状態となっている。配線８０は、筒体３０および光学素子４０と共に本体１０内に収納されている。
【００４７】
図１０は、図９に示した筒体３０の前部冠部材３５を切り欠いて、レンズ鏡筒２０の内部構成を表したものである。図１１は、図１０に示した筒体３０の第１部品３１を縦に切断し、レンズ鏡筒２０の内部構成を更に分かりやすく表したものである。収納位置（沈胴位置）３０Ｂでは、可動部８１は、図１０および図１１に示したように両端８１Ａ，８１Ｂが近接して図８に示したように一平面内で環状をなす初期状態となっている。
【００４８】
この撮像装置１では、使用者が電源ボタン１５を操作して電源をオンとすると、レンズ鏡筒２０が図１に示した収納位置（沈胴位置）３０Ｂから図２に示した撮影位置３０Ａに自動的に繰り出される。これと同時に、レンズ鏡筒２０の前方先端に設けられたバリアユニット（図示せず）が開放され、撮影可能な状態となる。
【００４９】
ここでは、配線８０が筒体３０内に挿通され、配線８０の少なくとも一部が光学素子４０の光軸Ｚ方向に伸縮可能な三次元曲線形状を有している。具体的には、可動部８１は、光学素子４０の光軸Ｚを中心に螺旋状に配置されている。よって、配線８０は、図１０および図１１に示した環状の初期状態（略平面状態）から、図７に示したように光軸Ｚ方向に拡張された螺旋状の伸長状態（立体状態）にスムーズに推移し、レンズ鏡筒２０の進出動作を妨げることなく、レンズ鏡筒２０の進出に追随して変形する。
【００５０】
また、可動部８１は、筒体３０の内側面に沿って配置され、光学素子４０を通過する光線束の光路Ｐ１を回避して変形可能である。よって、可動部８１は、筒体３０の内側面を這うように伸び、変形時に光学素子４０を通過する光線束の光路Ｐ１内にはみ出すおそれが小さくなる。
【００５１】
更に、レンズ鏡筒２０の伸長動作に伴って、レンズ鏡筒２０内の光学素子４０も光軸Ｚ方向に適宜移動する。更に、使用者が光学ズーム操作ボタン１８Ｂを操作すると、その操作に応じてレンズ鏡筒制御部６５によりレンズ駆動部６５Ａが駆動され、これにより光学素子４０が光軸Ｚ方向に変位する。
【００５２】
ここでも、配線８０が筒体３０内に挿通され、配線８０の少なくとも一部が光学素子４０の光軸Ｚ方向に伸縮可能な三次元曲線形状、具体的には螺旋形状を有しているので、配線８０の変形によって光学素子４０の移動や光路Ｐ１が妨げられるおそれが小さくなる。
【００５３】
撮影時において、被写体の像は、レンズ鏡筒２０内の光学素子４０に入射し、撮像素子５０の撮像面に結像され、撮像素子５０により画像信号が生成される。その画像信号は、増幅器６７を介して映像信号処理部６４に入力される。映像信号処理部６４は、入力された画像信号に対して所定の処理を行い、得られた信号を映像記録／再生回路部６１に供給する。これにより、映像記録／再生回路部６１から被写体の像に対応した信号がモニタ駆動部６６，内蔵メモリ６２または外部メモリ６３に出力される。その結果、モニタ駆動部６６を介して表示部１７に被写体の像に対応した画像が表示される。あるいは、出力された信号が内蔵メモリ６２または外部メモリ６３に記録される。
【００５４】
近接撮影（マクロ撮影）時には、配線８０により照明素子７０に電力が供給され、照明素子７０からの光により被写体が明るく照らされる。
【００５５】
使用者が電源ボタン１５を押して電源をオフとすると、レンズ鏡筒２０は自動的に図１に示した収納位置（沈胴位置）３０Ｂに戻る。
【００５６】
ここでも、配線８０が筒体３０内に挿通され、配線８０の少なくとも一部が光学素子４０の光軸Ｚ方向に伸縮可能な三次元曲線形状、具体的には螺旋形状を有しているので、配線８０は、図７に示したように光軸Ｚ方向に拡張された螺旋状の伸長状態（立体状態）から、図１０および図１１に示した環状の初期状態（略平面状態）へとスムーズに復帰し、レンズ鏡筒２０の後退動作を妨げることなく、レンズ鏡筒２０の後退に追随して変形する。
【００５７】
このように本実施の形態では、配線８０の少なくとも一部が光学素子４０の光軸Ｚ方向に伸縮可能な三次元曲線形状としたので、配線８０を、図１０および図１１に示した初期状態から図７に示した伸長状態へ、またその逆へと、レンズ鏡筒２０の繰り出し・後退に伴って変形させることが可能となる。よって、配線８０の変形性を向上させることが可能となり、レンズ鏡筒２０の伸縮動作や光路Ｐ１に干渉することなく配線８０を変形させることが可能な電力供給構成の確立が可能となる。
【００５８】
特に、可動部８１を、光学素子４０の光軸Ｚを中心に螺旋状に配置するようにしたので、配線８０の変形状態（伸縮状態）にかかわらず、レンズ鏡筒２０の伸縮動作や光路Ｐ１を妨げるおそれが小さくなる。
【００５９】
（変形例１）
なお、上記実施の形態では、可動部８１が、図８に示したように、一枚のフレキシブル配線基板８０Ａの面内において、光学素子４０の光軸Ｚを一周周回する環状である場合について説明した。しかしながら、可動部８１は、図１２に示したように、一枚のフレキシブル配線基板８０Ａの面内において、光学素子４０の光軸Ｚを一周以上（図１２では例えば二周）周回する渦巻形状をなしていることも可能である。これにより、レンズ鏡筒２０の伸縮動作距離が長くなった場合にも柔軟に対応可能となる。
【００６０】
この場合には、渦巻形状は、電子部品実装部８２（または電子部品実装部８２に接続される端部８１Ａ）に近づくにつれて径が小さくなる（図１２においてｒＡ＜ｒＢ）ことが好ましい。筒体３０の径は、通常、レンズ鏡筒２０の先端に近いほど小さいからである。なお、螺旋状（コイル状）の可動部８１を伸ばすと径が小さくなるので、電子部品実装部８２に近いほど渦巻形状の径を大きくしておくようにしてもよい。
【００６１】
本変形例では、図１３および図１４に示したように配線８０の光軸Ｚ方向の長さが自由に変化し、レンズ鏡筒２０の進出動作を妨げることなく、レンズ鏡筒２０の進出に追随して変形する。
【００６２】
（変形例２）
また、可動部８１は、例えば図１５に示したように、一枚のフレキシブル配線基板８０Ａの面内において、光学素子４０の光軸Ｚを一周未満周回する円弧状とすることも可能である。
【００６３】
（第２の実施の形態）
図１６は、本開示の第２の実施の形態に係るレンズ鏡筒２０の構成を表したものである。本実施の形態は、レンズ鏡筒２０の前部冠部材３５、配線８０の電子部品実装部８２および照明素子７０を、コネクタ８４を介して、可動部８１に対して着脱可能としたものである。これにより、照明素子７０をアクセサリー型としながらも、配線８０を筒体３０の中に通して本体１０から電力供給することが可能となる。よって、照明素子７０に供給する電力元をアクセサリー内部に持たなくてもよくなり、アクセサリーを軽量化することが可能となる。また、アクセサリーに外部から電力を供給するためのケーブルも不要となり、使い勝手が良くなる。従って、撮像装置１Ａを軽量化し、使いやすさや美観を向上させることが可能となる。このことを除いては、この撮像装置１Ａは、上記第１の実施の形態と同様の構成、作用および効果を有している。
【００６４】
（第３の実施の形態）
図１７および図１８は、本開示の第３の実施の形態に係るレンズ鏡筒２０の構成を表したものである。本実施の形態は、照明素子７０からの光が出射される側に、拡散素子（プリズム）９０を配設したものである。拡散素子９０は、照明素子７０からの光を拡散させるものである。これにより、照明素子７０が点光源である場合や、照明素子７０の個数が少ない場合にも、被写体に影ができにくくなり、被写体に均一に光を当てることが可能となり、より良好な撮影が可能となる。このことを除いては、この撮像装置１Ｂは、上記第１の実施の形態と同様の構成、作用および効果を有している。
【００６５】
（第４の実施の形態）
図１９は、本開示の第４の実施の形態に係るレンズ鏡筒２０Ａの外観を表したものである。図２０は、図１９に示したレンズ鏡筒２０Ａの内部構成を表している。本実施の形態は、上記第１の実施の形態を交換式のレンズ鏡筒２０Ａに適用した例である。すなわち、本実施の形態のレンズ鏡筒２０Ａは、本体１０に対して着脱可能に装着されるものである。なお、沈胴式のレンズ鏡筒２０は撮影位置３０Ａまで繰り出して使用するものであるのに対して、交換式のレンズ鏡筒２０Ａは、伸ばさずに使用可能であり、更に伸ばすことも可能なものである。
【００６６】
交換式のレンズ鏡筒２０Ａの場合には、例えば、ズーム動作等に伴って、光学素子４０および照明素子７０が光軸Ｚ方向に移動する。配線８０は、光学素子４０および照明素子７０の移動に伴って、第１の実施の形態と同様に、図１０および図１１に示した初期状態から図７に示した伸長状態へ、またその逆へと変形する。このことを除いては、この撮像装置１Ｃは、上記第１の実施の形態と同様の構成、作用および効果を有している。
【００６７】
以上、実施の形態を挙げて本開示を説明したが、本開示は上記実施の形態に限定されるものではなく、種々の変形が可能である。
【００６８】
例えば、上記実施の形態では、照明素子７０としてマクロライトの例を説明したが、照明素子７０は、マクロライトの他、フラッシュライトなど他の用途の照明素子であってもよい。
【００６９】
また、例えば、上記実施の形態では、配線８０が照明素子７０に電力を供給するために設けられている場合について説明したが、配線８０は、照明素子７０以外にも、レンズ鏡筒２０の先端に設けられる電動式の構成要素への電力供給に広く用いることが可能である。考えられる用途としては、例えば、ビデオカメラまたはカムコーダの電動式バリアユニットへの電力供給が挙げられる。
【００７０】
更に、例えば、上記実施の形態では、配線８０がフレキシブル配線基板により構成されている場合について説明したが、配線８０は、ケーブルにより構成されていてもよい。配線８０に用いられるケーブルは、フレキシブルフラットケーブル、フラットケーブル、または、銅線を被覆した電気機器用の電線など、柔軟性・可撓性があり、繰り返し変形に耐えうるものであれば特に限定されない。
【００７１】
加えて、例えば、上記実施の形態では、撮像装置１の構成を具体的に挙げて説明したが、全ての構成要素を備える必要はなく、また、他の構成要素を更に備えていてもよい。
【００７２】
更にまた、例えば、上記実施の形態では、撮像装置１としてコンパクトデジタルカメラを例として説明したが、本開示は一眼レフカメラにも適用可能である。
【００７３】
なお、本技術は以下のような構成を取ることも可能である。
（１）
筒体と、
前記筒体内の光学素子と、
前記筒体内に挿通され、少なくとも一部が前記光学素子の光軸方向に伸縮可能な三次元曲線形状を有する配線と
を備えたレンズ鏡筒。
（２）
前記配線は、可動部を含み、
前記可動部は、前記筒体の内側面に沿って配置され、前記光学素子を通過する光線束の光路を回避して変形可能である
前記（１）記載のレンズ鏡筒。
（３）
前記可動部は、前記光学素子の光軸を中心に螺旋状に配置されている
前記（２）記載のレンズ鏡筒。
（４）
前記可動部は、一枚のフレキシブル配線基板の面内において、前記光学素子の光軸を一周未満周回する円弧状、または、前記光学素子の光軸を一周以上周回する環状もしくは渦巻形状をなしている
前記（２）または（３）記載のレンズ鏡筒。
（５）
前記配線は、前記可動部の一端に、電子部品実装部を更に含み、
前記電子部品実装部には、前記配線を介して電力供給を受ける電子部品が実装されている
前記（２）ないし（４）のいずれか１項に記載のレンズ鏡筒。
（６）
前記渦巻形状は、前記電子部品実装部に近づくにつれて径が小さくなる
前記（５）記載のレンズ鏡筒。
（７）
前記電子部品実装部は、前記可動部と一体に接続されている
前記（５）または（６）記載のレンズ鏡筒。
（８）
前記電子部品実装部は、コネクタを介して、前記可動部に対して着脱可能である
前記（５）または（６）記載のレンズ鏡筒。
（９）
前記電子部品は、照明素子であり、
前記照明素子は、前記光学素子の周囲に配置されている
前記（５）ないし（８）のいずれか１項に記載のレンズ鏡筒。
（１０）
前記照明素子からの光が出射される側に、拡散素子を更に備えた
前記（９）記載のレンズ鏡筒。
（１１）
前記配線は、前記可動部の他端に、固定部を更に含み、
前記固定部は、前記筒体に固定されている
前記（１）ないし（１０）のいずれか１項に記載のレンズ鏡筒。
（１２）
前記配線は、ケーブルにより構成されている
前記（２）または（３）記載のレンズ鏡筒。
（１３）
前記筒体は伸縮動作可能である
前記（１）ないし（１２）のいずれか１項に記載のレンズ共闘。
（１４）
前記光学素子は、光軸方向に移動可能であり、
前記配線は、前記光学素子の移動経路を回避して変形可能である
（１）ないし（１３）のいずれか１項に記載のレンズ鏡筒。
（１５）
レンズ鏡筒を有し、
前記レンズ鏡筒は、
筒体と、
前記筒体内の光学素子と、
前記筒体内に挿通され、少なくとも一部が前記光学素子の光軸方向に伸縮可能な三次元曲線形状を有する配線と
を備えた撮像装置。
（１６）
本体を更に備え、
前記レンズ鏡筒は、前記筒体が前記本体に埋め込まれる収納位置と、前記筒体が前記本体から進出する撮影位置との間で伸縮動作可能な沈胴式である
前記（１５）記載の撮像装置。
（１７）
本体を更に備え、
前記レンズ鏡筒は、前記本体に対して着脱可能に装着される交換式である
前記（１５）記載の撮像装置。
【符号の説明】
【００７４】
１…撮像装置、１０…筐体、２０…レンズ鏡筒、３０…筒体、３１…第１部品、３２…第２部品、３３…第３部品、４０…光学素子、５０…撮像素子、７０…照明素子、８０…配線、９０…拡散素子、Ｚ…光軸。
【図１】
2014235277.tif 000003
【図２】
2014235277.tif 000004
【図３】
2014235277.tif 000005
【図４】
2014235277.tif 000006
【図５】
2014235277.tif 000007
【図６】
2014235277.tif 000008
【図７】
2014235277.tif 000009
【図８】
2014235277.tif 000010
【図９】
2014235277.tif 000011
【図１０】
2014235277.tif 000012
【図１１】
2014235277.tif 000013
【図１２】
2014235277.tif 000014
【図１３】
2014235277.tif 000015
【図１４】
2014235277.tif 000016
【図１５】
2014235277.tif 000017
【図１６】
2014235277.tif 000018
【図１７】
2014235277.tif 000019
【図１８】
2014235277.tif 000020
【図１９】
2014235277.tif 000021
【図２０】
2014235277.tif 000022